(57)【要約】【課題】  医療品に関する医療ミスを防止すると共に、医療品の在庫管理、請求書の発行等を容易、且つ、確実にした医療機関に於ける医療情報管理システムを提供する。【解決手段】  入庫する医療品２の情報が記録されたＩＣタグ３を読み取るＩＣタグ読取端末５と、出庫する医療品のＩＣタグ３に対して読み書きする第１のＩＣタグ読取・書込端末７と、患者又は医療従事者の情報が記憶されたカード８に対して読み書きするカード読取・書込端末１０と、患者に施療する医療品２のＩＣタグ３に対して読み書きする第２のＩＣタグ読取・書込端末１２と、カード読取・書込端末１０及び第２のＩＣタグ読取・書込端末１２から発信される情報を受信するオーダサーバ１７と、ＩＣタグ読取端末５、第１のＩＣタグ読取・書込端末７及びオーダサーバ１７から発信される情報を受信し、在庫数を集計するＳＰＤサーバ２１とを有する医療情報管理システム１を提供する。【選択図】  図１
2006215652.tif 000002
【特許請求の範囲】
【請求項１】
医療品が病院内倉庫に入庫された時、該医療品に貼付され、該医療品の情報が記録されたＩＣタグを読み取る読取手段を備えたＩＣタグ読取端末と、
医療品が倉庫から出庫する時、該医療品に貼付されたＩＣタグを読み取ると共に、外部入力により出庫先の情報をＩＣタグに書き込む読取・書込手段を備えた第１のＩＣタグ読取・書込端末と、
患者又は医療従事者の情報が記憶されたカードを読み取ると共に、外部入力により、患者の医療情報をカードに書き込むカード読取・書込手段を備えたカード読取・書込端末と、
患者に施療する医療品に貼付されたＩＣタグを読み取ると共に、医療品を施療する患者の情報をＩＣタグに書き込む読取・書込手段を備えた第２のＩＣタグ読取・書込端末と、
前記カード読取・書込端末及び該第２のＩＣタグ読取・書込端末に接続され、該カード読取・書込端末及び該第２のＩＣタグ読取・書込端末から発信される読取・書込情報を受信する受信手段と、受信した情報を記憶する記憶手段と、該カード読取・書込端末から発信される情報と該第２のＩＣタグ読取・書込端末から発信される情報とを照合する照合手段と、記憶した情報を発信する送信手段とを備えたオーダサーバと、
前記ＩＣタグ読取端末、前記第１のＩＣタグ読取・書込端末及び前記オーダサーバに接続され、該ＩＣタグ読取端末、第１のＩＣタグ読取・書込端末及びオーダサーバから発信される情報を受信する受信手段と、受信した情報を記憶する記憶手段と、記憶した情報に基づき在庫数を集計する集計手段とを備えたＳＰＤサーバと、
を有することを特徴とする医療機関に於ける医療情報管理システム。
【請求項２】
上記カードは、指紋読取部、トロンチップ及びメモリが内蔵され、該指紋読取部には、指紋読取手段と指紋照合手段とが内蔵され、該指紋読取手段によって指紋を読取ると共に、該指紋照合手段によって読取った指紋と予めメモリに登録されている指紋とをトロンチップを介して照合し、読取った指紋と予めメモリに登録されている指紋とが合致した時、メモリ内の情報を出力できるように構成されていることを特徴とする請求項１記載の医療機関に於ける医療情報管理システム。
【請求項３】
上記カード読取・書込端末は、カードを装填するためのスロットを有し、スロット内に装填されたカードの読取り及び書込を行うカード読取・書込手段と、該カード読取・書込手段と接続されたコンピュータとから成り、該カード読取・書込手段は、指紋を検出する指紋検出部を備えていることを特徴とする請求項１又は２記載の医療機関に於ける医療情報管理システム。
【請求項４】
上記ＳＰＤサーバと上記オーダサーバとが、夫々医事会計を行うための医事会計サーバに接続され、該医事会計サーバは、該ＳＰＤサーバと、オーダサーバとから発信される情報を受信する受信手段と、受信した情報を記憶する記憶手段と、記憶した情報に基づき、患者別の請求書を所定のフォーマットによって作成する請求書作成手段とを備えていることを特徴とする請求項１，２又は３記載の医療機関に於ける医療情報管理システム。
【発明の詳細な説明】
【技術分野】
【０００１】
本発明は、医療機関に於ける医療情報管理システムに関し、特に、トロンチップを内蔵するトロンカード及びＩＣタグを用いた医療機関に於ける医療情報管理システムに関するものである。
【背景技術】
【０００２】
此種従来の医療機関に於ける医療情報管理システムとして、種々のシステムが知られており、例えば、特許文献１には、処方の内容、医療従事者の名前、医薬品、患者の名前をバーコードで読み取り、医療情報を管理するシステムが記載されている。
【０００３】
特許文献２には、被診療者の持つ診察券と投与薬品、カルテ、医療処置内容などに対して夫々固有のＩＤを持つ無線ＩＤチップを付与する医療情報管理システムが記載されている。
【特許文献１】特開２００１−１５５０９８号公報
【特許文献２】特再Ｗ００１／０６９５１０号公報
【発明の開示】
【発明が解決しようとする課題】
【０００４】
前述したように、従来の医療機関に於ける医療情報管理システムとして、種々のシステムが知られているが、例えば、特許文献１は、バーコードを用いて医療情報を管理するシステムであり、特許文献２は、無線ＩＤチップを用いて医療情報を管理システムであり、夫々、バーコード、又は、無線ＩＤチップを用いる効果が期待できる。
【０００５】
然しながら、バーコード、又は、無線ＩＤチップは、その情報量に限度があり、比較的少量の情報量しか記録できないものであり、十分な情報による医療情報管理ができないと共に、情報量が少ないことによる医療ミスの発生の虞がある。
【０００６】
医薬品等を含む医療品の医療情報は、特に、人の生死、安全に関わる重要な情報であり、その情報は正確で、且つ、詳細であることが望まれる。
【０００７】
例えば、医療品又は患者の取り違え等のミスの発生はあってはならないことであり、医療ミスが発生しないようにすることが望まれる。又、医療品情報に関する不正な操作、個人情報の流失、盗用、なりすましを防止する必要がある。
【０００８】
更に、病院にとって、医療品等の在庫管理も重要な事項であり、更に又、請求書等についても請求漏れのない作成が望まれている。
【０００９】
以上の現状に鑑み、本発明は、医療品に関する医療ミスを防止すると共に、医療品の在庫管理、請求書の発行等を容易、且つ、確実にした医療機関に於ける医療情報管理システムを提供することを目的とする。
【課題を解決するための手段】
【００１０】
上記の課題を解決すべく、本発明は以下の構成を提供する。
請求項１に係る発明は、医療品が病院内倉庫に入庫された時、該医療品に貼付され、該医療品の情報が記録されたＩＣタグを読み取る読取手段を備えたＩＣタグ読取端末と、
医療品が倉庫から出庫する時、該医療品に貼付されたＩＣタグを読み取ると共に、外部入力により出庫先の情報をＩＣタグに書き込む読取・書込手段を備えた第１のＩＣタグ読取・書込端末と、
患者又は医療従事者の情報が記憶されたカードを読み取ると共に、外部入力により、患者の医療情報をカードに書き込むカード読取・書込手段を備えたカード読取・書込端末と、
患者に施療する医療品に貼付されたＩＣタグを読み取ると共に、医療品を施療する患者の情報をＩＣタグに書き込む読取・書込手段を備えた第２のＩＣタグ読取・書込端末と、
前記カード読取・書込端末及び該第２のＩＣタグ読取・書込端末に接続され、該カード読取・書込端末及び該第２のＩＣタグ読取・書込端末から発信される読取・書込情報を受信する受信手段と、受信した情報を記憶する記憶手段と、該カード読取・書込端末から発信される情報と該第２のＩＣタグ読取・書込端末から発信される情報とを照合する照合手段と、記憶した情報を発信する送信手段とを備えたオーダサーバと、
前記ＩＣタグ読取端末、前記第１のＩＣタグ読取・書込端末及び前記オーダサーバに接続され、該ＩＣタグ読取端末、第１のＩＣタグ読取・書込端末及びオーダサーバから発信される情報を受信する受信手段と、受信した情報を記憶する記憶手段と、記憶した情報に基づき在庫数を集計する集計手段とを備えたＳＰＤサーバと、
を有することを特徴とする医療機関に於ける医療情報管理システムを提供するものである。
【００１１】
請求項２に係る発明は、上記カードは、指紋読取部、トロンチップ及びメモリが内蔵され、該指紋読取部には、指紋読取手段と指紋照合手段とが内蔵され、該指紋読取手段によって指紋を読取ると共に、該指紋照合手段によって読取った指紋と予めメモリに登録されている指紋とを前記トロンチップを介して照合し、読取った指紋と予めメモリに登録されている指紋とが合致した時、メモリ内の情報を出力できるように構成されていることを特徴とする請求項１記載の医療機関に於ける医療情報管理システムを提供するものである。
【００１２】
請求項３に係る発明は、上記カード読取・書込端末は、カードを装填するためのスロットを有し、スロット内に装填されたカードの読取り及び書込を行うカード読取・書込手段と、該カード読取・書込手段と接続されたコンピュータとから成り、該カード読取・書込手段は、指紋を検出する指紋検出部を備えていることを特徴とする請求項１又は２記載の医療機関に於ける医療情報管理システムを提供するものである。
【００１３】
請求項４に係る発明は、上記ＳＰＤサーバと上記オーダサーバとが、夫々医事会計を行うための医事会計サーバに接続され、該医事会計サーバは、該ＳＰＤサーバと、オーダサーバとから発信される情報を受信する受信手段と、受信した情報を記憶する記憶手段と、記憶した情報に基づき、患者別の請求書を所定のフォーマットによって作成する請求書作成手段とを備えていることを特徴とする請求項１，２又は３記載の医療機関に於ける医療情報管理システムを提供するものである。
【発明の効果】
【００１４】
本発明の請求項１記載の発明によれば、医療品が病院内倉庫に入庫された時、該医療品に貼付され、該医療品の情報が記録されたＩＣタグを読み取る読取手段を備えたＩＣタグ読取端末と、
医療品が倉庫から出庫する時、該医療品に貼付されたＩＣタグを読み取ると共に、外部入力により出庫先の情報をＩＣタグに書き込む読取・書込手段を備えた第１のＩＣタグ読取・書込端末と、
患者又は医療従事者の情報が記憶されたカードを読み取ると共に、外部入力により、患者の医療情報をカードに書き込むカード読取・書込手段を備えたカード読取・書込端末と、
患者に施療する医療品に貼付されたＩＣタグを読み取ると共に、医療品を施療する患者の情報をＩＣタグに書き込む読取・書込手段を備えた第２のＩＣタグ読取・書込端末と、
前記カード読取・書込端末及び該第２のＩＣタグ読取・書込端末に接続され、該カード読取・書込端末及び該第２のＩＣタグ読取・書込端末から発信される読取・書込情報を受信する受信手段と、受信した情報を記憶する記憶手段と、該カード読取・書込端末から発信される情報と該第２のＩＣタグ読取・書込端末から発信される情報とを照合する照合手段と、記憶した情報を発信する送信手段とを備えたオーダサーバと、
前記ＩＣタグ読取端末、前記第１のＩＣタグ読取・書込端末及び前記オーダサーバに接続され、該ＩＣタグ読取端末、第１のＩＣタグ読取・書込端末及びオーダサーバから発信される情報を受信する受信手段と、受信した情報を記憶する記憶手段と、記憶した情報に基づき在庫数を集計する集計手段とを備えたＳＰＤサーバと、
を有する医療機関に於ける医療情報管理システムを提供するので、医療品に関する医療ミスを防止できると共に、医療品の在庫管理を容易、且つ、確実に行うことができる。
【００１５】
請求項２記載の発明によれば、上記カードは、指紋読取部、トロンチップ及びメモリが内蔵され、該指紋読取部には、指紋読取手段と指紋照合手段とが内蔵され、該指紋読取手段によって指紋を読取ると共に、該指紋照合手段によって読取った指紋と予めメモリに登録されている指紋とを前記トロンチップを介して照合し、読取った指紋と予めメモリに登録されている指紋とが合致した時、メモリ内の情報を出力できるように構成されているので、請求項１記載の発明の効果に加え、指紋照合による認証によって、医療ミスを防止できると共に、医療情報の漏洩を防止できる。
【００１６】
請求項３記載の発明によれば、上記カード読取・書込端末は、カードを装填するためのスロットを有し、スロット内に装填されたカードの読取り及び書込を行うカード読取・書込手段と、該カード読取・書込手段と接続されたコンピュータとから成り、該カード読取・書込手段は、指紋を検出する指紋検出部を備えているので、請求項１又は２記載の発明の効果に加え、カード読取・書込手段によってカードの読取り及び書込みを行えると共に、指紋を検出することができる。
【００１７】
請求項４記載の発明によれば、上記ＳＰＤサーバと上記オーダサーバとが、夫々医事会計を行うための医事会計サーバに接続され、該医事会計サーバは、該ＳＰＤサーバと、オーダサーバとから発信される情報を受信する受信手段と、受信した情報を記憶する記憶手段と、記憶した情報に基づき、患者別の請求書を所定のフォーマットによって作成する請求書作成手段とを備えているので、請求項１，２又は３記載の発明の効果に加え、請求書の発行等が自動的に行える。
【発明を実施するための最良の形態】
【００１８】
以下、実施例を示した図面を参照しつつ本発明の実施の形態を説明する。
図１及び図２に於いて、１は医療機関に於ける医療情報管理システムを示し、医療情報管理システム１は、医薬品又は医療材料等の医療品２が病院内倉庫（図示せず）に入庫された時、医療品２に貼付され、医療品２に関する１又は２以上の情報（例えば、情報Ａ、情報Ｂ、情報Ｃ…）が記録されたＩＣタグ３を読み取る読取手段４を備えたＩＣタグ読取端末５と、医療品２が倉庫から出庫する時、医療品２に貼付されたＩＣタグ３を読み取ると共に、外部入力により出庫先の情報をＩＣタグ３に書き込む読取・書込手段６を備えた第１のＩＣタグ読取・書込端末７を有している。
【００１９】
尚、ＩＣタグ３は、医療品２に貼付されていると共に、医療品２を１又は複数個収納する包装体にも貼付されている。
【００２０】
又、前記読取手段４又は読取・書込手段６は、図示しないアプリケーションが搭載され、搭載されるアプリケーションの種類によって、ＩＣタグ３との距離が、例えば、５ｃｍ、５〜１０ｍ、１０ｍ以上までの範囲に於いて読み取り及び／又は書き込みが可能となり、前記読取手段４又は読取・書込手段６の使用状況によって、アプリケーションの種類が選択される。例えば、倉庫等に於いて、前記読取手段４又は読取・書込手段６とＩＣタグ３との距離が離れる場合には、５〜１０ｍ、又は、１０ｍ以上までの比較的遠い距離範囲に於いて読み取り及び／又は書き込みが可能なアプリケーションが選択される。
【００２１】
又、前記医療情報管理システム１は、患者又は医療従事者の情報が記憶されたカード８を読み取ると共に、外部入力により、患者又は医療従事者の医療情報をカード８に書き込むカード読取・書込手段９を備えたカード読取・書込端末１０と、患者に施療する医療品２に貼付されたＩＣタグ３を読み取ると共に、医療品２を施療する患者の情報をＩＣタグ３に書き込む読取・書込手段１１を備えた第２のＩＣタグ読取・書込端末１２とを有し、更に、前記カード読取・書込端末１０及び第２のＩＣタグ読取・書込端末１２とにＬＡＮ等のネットワークで接続され、カード読取・書込端末８及び第２のＩＣタグ読取・書込端末１２から発信される読取・書込情報を受信する受信手段１３と、受信した情報を記憶する記憶手段１４と、カード読取・書込端末１０及び第２のＩＣタグ読取・書込端末１２から送信された情報を照合する照合手段１５と、記憶した情報を発信する送信手段１６とを備えたオーダサーバ１７とを有している。尚、前記読取・書込手段１１は前記読取手段４又は読取・書込手段６と同様の前記アプリケーションが搭載される。
【００２２】
更に、前記医療情報管理システム１は、前記ＩＣタグ読取端末５、前記第１のＩＣタグ読取・書込端末７及び前記オーダサーバ１７にＬＡＮ等のネットワークで接続され、ＩＣタグ読取端末５、第１のＩＣタグ読取・書込端末７及びオーダサーバ１７から発信される情報を受信する受信手段１８と、受信した情報を記憶する記憶手段１９と、記憶した情報に基づき在庫数を集計する集計手段２０とを備えたＳＰＤ（Supply Processing & Distribution）サーバ２１を有している。
【００２３】
そして、前記カード８は、図３に示す如く、指紋読取部３１、トロン（The Real-time Operating system Nucleus）チップ３２及びメモリ３３が内蔵された、所謂、トロンカードであり、指紋読取部３１には、図２に示す指紋読取手段３４と指紋照合手段３５とが内蔵され、指紋読取手段３４によって指紋を解析等により読取ると共に、指紋照合手段３５によって読取った指紋と予めメモリ３３に登録されている指紋とをトロンチップ３２を介して照合し、読取った指紋と予めメモリ３３に登録されている指紋とが合致した時、メモリ３３内の情報を出力できるように構成されている。従って、前記カード８は、所謂、指紋による個人認証を行い、指紋を情報の開錠キーとして利用するものである。これによって、不正な操作、個人情報の流失、盗用、なりすまし、医療品又は患者の取り違え等を防止することができる。
【００２４】
尚、前記カード８に代えて、他の記憶媒体、例えば、ＵＳＢメモリー等、取り扱いが容易な他の記憶媒体を用いることも可能である。又、指紋情報は登録する際に暗号化を行うことが望ましく、特に、ＪＩＳを利用した暗号化を行うことが望ましい。
【００２５】
又、前記カード読取・書込端末１０は、図４に示す如く、カード８を装填するためのスロット４１を有し、スロット４１内に装填されたカード８の読取り及び書込を行うカード読取・書込手段９と、カード読取・書込手段９と接続された図１に示すコンピュータ４２とから成り、図４に示す如く、カード読取・書込手段９は、指紋を検出する指紋検出部４３を備えている。尚、カード読取・書込手段９に指紋検出部４３を備える構成に代えて、指紋検出部４３を前記カード８に直接取り付けることも可能である。
【００２６】
更に又、前記医療情報管理システム１は、図２に示す如く、前記ＳＰＤサーバ２１と前記オーダサーバ１７とが、夫々医事会計を行うための医事会計サーバ５１にＬＡＮ等のネットワークで接続され、医事会計サーバ５１は、ＳＰＤサーバ２１と、オーダサーバ１７とから発信される情報を受信する受信手段５２と、受信した情報を記憶する記憶手段５３と、記憶した情報に基づき、患者別の請求書（図示せず）を所定のフォーマットによって作成する請求書作成手段５４とを備えている。
【００２７】
尚、前記医療情報管理システム１に於いて、前記ＩＣタグ読取端末５、第１のＩＣタグ読取・書込端末７、カード読取・書込端末１０、第２のＩＣタグ読取・書込端末１２、オーダサーバ１７及び医事会計サーバ５１は、説明上、夫々、１台記載しているが、実際には夫々複数台設置される場合が多い。
【００２８】
而して、前記医療情報管理システム１の作用について、図５に基づき、図１及び図２も併せ用いて説明すると、医療品２には、メーカーに於ける製造過程、又は、問屋等における流通過程で予めＩＣタグ３が貼付されており（ステップＳ１）、医療品２が病院内倉庫（図示せず）に入庫された時、ＩＣタグ読取端末５の読取手段４にＩＣタグ３を例えば５ｃｍ以内に近接させることにより、読取手段４によってＩＣタグ３内に記録された情報が読取られ（ステップＳ２）、その情報はＩＣタグ読取端末５に備えられた送信手段６１によってＳＰＤサーバ２１に送信される（ステップＳ３）。
【００２９】
次に、医療品２が病院内倉庫から出庫される時、第１のＩＣタグ読取・書込端末７の読取・書込手段６によってＩＣタグ３内に記録された情報が読取られ（ステップＳ４）、更に、外部入力により出庫先の情報等がＩＣタグ３に書き込まれ（ステップＳ５）、その情報は第１のＩＣタグ読取・書込端末７に備えられた送信手段６２によってＳＰＤサーバ２１に送信される（ステップＳ６）。
【００３０】
一方、患者又は医療従事者には、患者又は医療従事者の指紋が、夫々、予め登録されたカード８が配布されており、患者が診察室、手術室、又は、病棟等で医療従事者による処置を受ける時、患者又は医療従事者は夫々のカード８を夫々カード読取・書込手段９に装填し（ステップＳ１１）、指をカード読取・書込手段９の指紋検出部４３に接触させて指紋を検出する（ステップＳ１２）。検出した指紋は指紋読取手段３４によって解析等により読取られ（ステップＳ１３）、読取られた指紋と、メモリ３３に予め登録されている指紋とが指紋照合手段３５によって照合され（ステップＳ１４）、互いの指紋が一致した時は、メモリ３３内の情報がコンピュータ４２に対して出力可能となり（ステップＳ１５）、互いの指紋が一致しない時は、メモリ３３内の情報は出力不可能となる（ステップＳ１６）。
【００３１】
そして、患者が医療従事者による診療等の処置を受けると、その処置内容は処置によって用いられる（施療される）医療品２情報と共にコンピュータ４２の入力部からコンピュータ４２内に入力され、その内容はカード読取・書込手段９により、カード８にも書き込まれる（ステップＳ１７）。コンピュータ４２にカード８から出力された情報及びコンピュータ４２の入力部からコンピュータ４２内に入力された情報はカード読取・書込端末１０に備えられた送信手段６３によって前記オーダサーバ１７に送信される（ステップＳ１８）。
【００３２】
他方、患者が医療従事者による診療等の処置を受けた時、用いられる（施療される）医療品２のＩＣタグ３内に記録された情報が第２のＩＣタグ読取・書込端末１２の読取・書込手段１１によって読取られ（ステップＳ２１）、更に、外部入力により診療等の処置の情報が読取・書込手段１１によってＩＣタグ３に書き込まれ（ステップＳ２２）、その情報は第２のＩＣタグ読取・書込端末１２に備えられた送信手段６４によってオーダサーバ１７に送信される（ステップＳ２３）。
【００３３】
オーダサーバ１７は受信手段１３によって、カード読取・書込端末１０及び第２のＩＣタグ読取・書込端末１２から送信された情報を受信し（ステップＳ３１）、記憶手段１４によって記憶すると共に（ステップＳ３２）、カード読取・書込端末１０及び第２のＩＣタグ読取・書込端末１２から送信された情報を照合手段１５によって照合し（ステップＳ３３）、不一致の場合は、警報を発生する（ステップＳ３４）。警報によって、医療品２が変更された場合は、再度、第２のＩＣタグ読取・書込端末１２から送信された情報を受信し、前述のステップＳ３１からＳ３３までのステップを繰り返す。そして、照合が正しく行われたら、その情報を送信手段１６によりＳＰＤサーバ２１及び医事会計サーバ５１に送信する（ステップＳ３５）。尚、図示は省略するが、前記オーダサーバ１７は、別途、前記第１のＩＣタグ読取・書込端末７、ＳＰＤサーバ２１、カード読取・書込端末１０及び第２のＩＣタグ読取・書込端末１２の情報を受信して、部門別の在庫を集計管理し、適宜、医療品の注文情報をＳＰＤサーバ２１に送信する。
【００３４】
前記ＳＰＤサーバ２１は受信手段１８によって前記ＩＣタグ読取端末５、第１のＩＣタグ読取・書込端末７及びオーダサーバ１７から発信される情報を受信し（ステップＳ４１）、記憶手段１９によって、受信した情報を記憶し（ステップＳ４２）、集計手段２０によって記憶した情報に基づき在庫数を集計し（ステップＳ４３）、集計結果をＳＰＤサーバ２１に備えられた送信手段６５によって医事会計サーバ５１に送信する（ステップＳ４４）。
【００３５】
前記医事会計サーバ５１は受信手段５２によって前記オーダサーバ１７及びＳＰＤサーバ２１から送信される情報を受信し（ステップＳ５１）、記憶手段５３によって、受信した情報を記憶し（ステップＳ５２）、記憶した情報に基づき、請求書作成手段５４によって患者別の請求書を所定のフォーマットによって作成する（ステップＳ５３）。
【００３６】
尚、請求書作成に必要となる医療品の原価は、予め、医事会計サーバ５１に記憶されているか、又は、ＳＰＤサーバ２１に予め記憶され、ＳＰＤサーバ２１に記憶される場合は、ＳＰＤサーバ２１から医事会計サーバ５１に適宜送信される。
【００３７】
斯くして、本発明の医療情報管理システム１は、ＩＣタグ読取端末５と、第１のＩＣタグ読取・書込端末７と、カード読取・書込端末１０と、第２のＩＣタグ読取・書込端末１２と、オーダサーバ１７と、ＳＰＤサーバ２１とがネットワークで接続された医療情報管理システムであるので、ＩＣタグ３及びカード８を用いたネットワークにより、医療品に関する医療ミスを防止できると共に、ＳＰＤサーバ２１により医療品の在庫管理を容易、且つ、確実にし、不良在庫の撲滅を図ることができる。
【００３８】
又、前記カード８は、指紋読取部３１、トロンチップ３２及びメモリ３３が内蔵され、指紋読取部３１には、指紋読取手段３４と指紋照合手段３５とが内蔵され、指紋読取手段３４によって指紋を読取ると共に、読取った指紋と予めメモリに登録されている指紋とを指紋照合手段３５によって前記トロンチップ３２を介して照合し、読取った指紋と予めメモリ３３に登録されている指紋とが合致した時、メモリ３３内の情報を出力できるように構成されているので、医療品又は患者の取り違え等の医療ミスを防止できると共に、医療情報に関する不正な操作、個人情報の流失、盗用、なりすましを防止することができる。
【００３９】
更に、前記カード読取・書込端末１０は、カード８を装填するためのスロット４１を有し、スロット４１内に装填されたカード８の読取り及び書込を行うカード読取・書込手段９と、カード読取・書込手段９と接続されたコンピュータ４２とから成り、カード読取・書込手段９は、指紋を検出する指紋検出部４３を備えているので、カード読取・書込手段９によってカード８の読取り及び書込みを行えると共に、指紋検出部４３によって指紋を検出することができる。
【００４０】
更に又、本発明の医療情報管理システム１は、前記ＳＰＤサーバ２１と前記オーダサーバと１７とが、夫々医事会計を行うための医事会計サーバ５１に接続され、医事会計サーバ５１は、ＳＰＤサーバ２１と、オーダサーバ１７とから発信される情報を受信する受信手段５２と、受信した情報を記憶する記憶手段５３と、記憶した情報に基づき、患者別の請求書を所定のフォーマットによって作成する請求書作成手段５４とを備えているので、請求書の発行等が自動的に行え、請求漏れ等を防止することができる。又、医事会計サーバ５１内の情報に基づき、患者単位の原価を計算し把握することも可能である。
【図面の簡単な説明】
【００４１】
【図１】本発明による医療機関に於ける医療情報管理システムを概略的に示す説明図である。
【図２】本発明による医療機関に於ける医療情報管理システムを詳細に示す説明図である。
【図３】図１に示すカードを概略的に示す説明図である。
【図４】図１に示すカード読取・書込手段を概略的に示す説明図である。
【図５】本発明による医療機関に於ける医療情報管理システムの処理フロー図である。
【符号の説明】
【００４２】
１  医療情報管理システム
２  医療品
３  ＩＣタグ
４  読取手段
５  ＩＣタグ読取端末
６  読取・書込手段
７  第１のＩＣタグ読取・書込端末
８  カード
９  カード読取・書込手段
１０  カード読取・書込端末
１１  読取・書込手段
１２  第２のＩＣタグ読取・書込端末
１３  受信手段
１４  記憶手段
１５  照合手段
１６  送信手段
１７  オーダサーバ
１８  受信手段
１９  記憶手段
２０  集計手段
２１  ＳＰＤサーバ
３１指紋読取部
３２トロンチップ
３３メモリ
３４指紋読取手段
３５指紋照合手段
４１スロット
４２コンピュータ
４３指紋検出部
５１医事会計サーバ
５２受信手段
５３記憶手段
５４請求書作成手段
【図１】
2006215652.tif 000003
【図２】
2006215652.tif 000004
【図３】
2006215652.tif 000005
【図４】
2006215652.tif 000006
【図５】
2006215652.tif 000007